(57)【要約】【課題】  肥料の粉や種子のコーティング剤が剥がれ落ちて塊になることを抑え、肥料やコーティング剤の粉に肥料や種子が張り付き、繰出し移動が妨げられて適切な施肥や播種が妨げられることを防止できる播種機を提供する。【解決手段】  エンジンカバー１内にエンジン２を搭載して駆動走行の車体３の後部に、繰出ロール４，５の回転によって施肥ホッパ６及び播種ホッパ７内に収容の粉粒剤を繰出しながら土壌面に施用する播種装置８を昇降自在に連結すると共に、施肥装置９を装着して、走行土壌面に施肥播種する播種機において、前記施肥ホッパ６及び播種ホッパ７内に、ホッパ６，７内部の粉塵を吸引する吸塵筒１０，１１を設けて構成する。【選択図】  図２
2013226086.tif 000002
【特許請求の範囲】
【請求項１】
エンジンカバー（１）内にエンジン（２）を搭載して駆動走行の車体（３）の後部に、繰出ロール（４，５）の回転によって施肥ホッパ（６）及び播種ホッパ（７）内に収容の粉粒剤を繰出しながら土壌面に施用する播種装置（８）を昇降自在に連結すると共に、施肥装置（９）を装着して、走行土壌面に施肥播種する播種機において、前記施肥ホッパ（６）及び播種ホッパ（７）内に、ホッパ（６，７）内部の粉塵を吸引する吸塵筒（１０，１１）を設けたことを特徴とする播種機の粉粒剤施用装置。
【請求項２】
前記施肥ホッパ（６）及び播種ホッパ（７）には、エンジンカバー（１）内のエンジンルームの熱気を吸引しながら前記施肥ホッパ（６）及び播種ホッパ（７）内を経て吸塵筒（１０，１１）へ吸引させることを特徴とする請求項１に記載の播種機の粉粒剤施用装置。
【請求項３】
前記エンジン（２）のラジエータ（１２）を通した熱風を施肥ホッパ（６）又は播種ホッパ（７）へ吸引案内することを特徴とする請求項１または２に記載の播種機の粉粒剤施用装置。
【発明の詳細な説明】
【技術分野】
【０００１】
この発明は、播種機の粉粒剤施用装置に関し、繰出施用する肥料や種子の粉粒剤から発生する粉塵を吸引排除して、的確で円滑な播種を行わせるものである。
【背景技術】
【０００２】
施肥装置と播種装置を備えて水田土壌面等に播種する播種機（直播機）の技術（例えば、特許文献１参照）が知られている。
【先行技術文献】
【特許文献】
【０００３】
【特許文献１】特開２０１０−１９３７７３号公報
【発明の概要】
【発明が解決しようとする課題】
【０００４】
前記直播機にあっては、外周面にコーティング剤を施した種子を用いることが多い。施肥ホッパ及び播種ホッパには、肥料の粒が細かく欠けたり、種子のコーティング剤が剥離したりして粉塵が生じることが多く、これらの粉塵が各施肥ホッパ内や播種ホッパ内に溜まって塊になると、肥料粒や種子粒がこの塊に付着して繰出移動できにくくなると共に、ホッパ内面に付着して施肥や播種作業を妨げてしまう問題がある。
【課題を解決するための手段】
【０００５】
請求項１に記載の発明は、エンジンカバー１内にエンジン２を搭載して駆動走行の車体３の後部に、繰出ロール４，５の回転によって施肥ホッパ６及び播種ホッパ７内に収容の粉粒剤を繰出しながら土壌面に施用する播種装置８を昇降自在に連結すると共に、施肥装置９を装着して、走行土壌面に施肥播種する播種機において、前記施肥ホッパ６及び播種ホッパ７内に、ホッパ６，７内部の粉塵を吸引する吸塵筒１０，１１を設けたことを特徴とする播種機の粉粒剤施用装置の構成とする。
【０００６】
播種機による播種作業を行うときは、施肥ホッパ６に施肥用肥料を収容し、播種ホッパ７に種子を収容しておく。車体３の前進走行により播種装置８を下降させて土壌面に接近させて推進させながら、播種装置８の繰出ロール５の回転によって繰出される種子を土壌面に形成の作溝に播種する。
【０００７】
また、施肥装置の繰出ロール４の回転によって繰出される肥料が前記播種位置近くの土壌面に施肥される。これら施肥装置９や播種装置８においては、施肥ホッパ６や播種ホッパ７には吸塵筒１０や１１が連通されていて、この吸塵筒１０、１１を経て施肥ホッパ６内の粉塵や、播種ホッパ７内の発生した粉塵が吸引排除される。
【０００８】
このため各施肥装置９の繰出ロール４や、播種装置８の繰出ロール５によって繰出される肥料や種子は、粉塵の混入を少なくして、しかも吸塵筒１０、１１による吸引風の流れによって吸湿排除されて乾燥状態に維持されて、繰出施用される肥料又は種子相互間の付着結合性少なくし、分散性を維持した状態とすることにより、正確で円滑な施肥及び播種を行わせる。
【０００９】
請求項２に記載の発明は、前記施肥ホッパ６及び播種ホッパ７には、エンジンカバー１内のエンジンルームの熱気を吸引しながら前記施肥ホッパ６及び播種ホッパ７内を経て吸塵筒１０，１１へ吸引させることを特徴とする請求項１に記載の播種機の粉粒剤施用装置とする。
【００１０】
前記のように施肥ホッパ６及び播種ホッパ７には、吸塵筒１０，１１による吸引風が働き発生する粉塵が吸引排除されるが、これら施肥ホッパ６及び播種ホッパ７に連通のエンジンルームから吸引供給される熱気によって加熱されながら吸塵される。
【００１１】
このため、繰出ロール４、５による施肥ホッパ６及び播種ホッパ７内の肥料や種子の相互粒剤間の付着給合を防止し、繰出ロール４，５による繰出を円滑に行わせる。
【００１２】
請求項３に記載の発明は、前記エンジン２のラジエータ１２を通した熱風を施肥ホッパ６又は播種ホッパ７へ吸引案内することを特徴とする請求項１または２に記載の播種機の粉粒剤施用装置。
【００１３】
前記エンジンルームから案内する熱気は、ラジエータ１２を通して吸引される熱風として、更に施肥ホッパ６や播種ホッパ７へ吸引供給される。このラジエータ１２を経た熱気は、ラジエータ１２内の熱を吸収して乾燥されたものであるから、各施肥ホッパ６や播種ホッパ７内での粉粒剤乾燥度を適度に維持して効果的に加熱乾燥して、正確で円滑な繰出施用を行わせることができる。
【発明の効果】
【００１４】
請求項１に記載の発明は、粉粒剤からなる肥料や種子を収容する施肥ホッパ６や、播種ホッパ７内には、吸塵筒１０，１１によって吸引風を働かせて吸塵させているものであるから、これら施肥ホッパ６や、播種ホッパ７内に発生する細粉塵を吸引して外部へ排除して、肥料や種子の除湿を行って乾燥状態に維持することができ、繰出ロール４，５による肥料、種子の繰出や、施肥ホースや、播種ホース等における施用搬送作用を円滑に行わせて、正確な施肥播種を行うことができる。
【００１５】
請求項２に記載の発明は、前記のように施肥ホッパ６及び播種ホッパ７から吸引排除される除塵作用は、エンジン２の駆動によって発生するエンジンルームの熱気を各施肥ホッパ６及び播種ホッパ７へ吸引案内しながら、この熱気によってホッパ６，７内の肥料や、種子を加熱しながら吸引除塵するものであるから、肥料や種子の乾燥効果を高めて、正確で、円滑な繰出播種を行わせることができ、構成を簡単にするものである。
【００１６】
請求項３に記載の発明は、前記のように施肥ホッパ６や播種ホッパ７へ吸引させる熱気は、エンジン２のラジエータ１２を通して熱交換したラジエータ風を吸引案内して、これらホッパ６，７内の肥料や種子を加熱乾燥するものであるから、これら肥料や種子等の加熱乾燥を効果的に維持して、正確で円滑な繰出施用を行わせることができ、またラジエータ１２を通した熱気を利用するため、構成を簡単化することができ、有効な乾燥を行うことができる。
【図面の簡単な説明】
【００１７】
【図１】播種機の側面図。
【図２】播種機の施肥装置部の側面図。
【図３】播種機の一部別実施例を示す側面図。
【図４】播種機の一部別実施例を示すホッパ部の平断面図。
【図５】播種機の一部別実施例を示すホッパ部の平断面図。
【発明を実施するための形態】
【００１８】
図面に基づいて、播種機は、乗用四輪走行形態のトラクタ車体３の後側に、リフトシリンダ２０によって昇降されるリフトリンク４１を介して、播種装置８を装着し、施肥装置９は前記車体３後部のリヤフレーム１９上に搭載する。車体３は、中央上部にエンジン２を搭載し、このエンジン２上を覆うエンジンカバー１の上側に運転席３１を設ける。フロア３５の前側にはフロントボード３２を設けて上端部にステアリングハンドル３４を設け、このステアリングハンドル３４の操作によって前輪１７を操向できる。車体３の前部には、エンジン２のエンジン軸２３によってベルトを介して連動される油圧無段変速装置（ＨＳＴ）２６、及びミッションケース２４を設け、このミッションケース２４部から左右へ張出すフロントアクスルハウジング２７の両端部に前輪１７を軸装している。車体３の後部には後輪１８をリヤアクスルハウジング２１の後輪軸２２に軸装し、前記ミッションケース２４から後方へ取出される連動軸１６を介して伝動駆動される。
【００１９】
前記リヤフレーム１９に平行状のリフトリンク４１が連結されて、リフトシリンダ２０の伸縮によって上下回動される。このリフトリンク４１の後端部ヒッチリンク２８に播種装置８の播種フレーム２９が連結される。この播種フレーム２９には、複数条に間隔播種装置８、及びこの播種位置の土壌面を均平しながら播種溝を形成する作溝器３９を有したフロート４０を設け、このフロート４０の後端には播種溝部を履土する履土器４７を設ける。前記播種装置８は、車体３側からＰＴＯ軸２５を介して伝動する。
【００２０】
前記播種フレーム２９の前部には各フロート４０の滑走前部の土壌面を代掻きする代掻ロータ４２、４５を代掻ケース４３の前後に軸装した代掻装置３８を設けて、前記リヤアクスルハウジング２１内の連動機構部から連動軸４４を介して伝動する。
【００２１】
前記播種装置８は、上部に播種ホッパ７を有し、この播種ホッパ７の下側に繰出ロール５を有した繰出ケース５０を設け、この繰出ケース５０の下側に繰出された種子を下方のフロート４０上の施用漏斗５１へ流下案内するホース４６を設ける。
【００２２】
また、この播種装置８の前側には、播種ブロワ３７を設けて、播種装置８の播種ホッパ７内へ熱気を送込むことができ、又、繰出ロール５で繰出された種子をホース４６を介して噴出落下させるように噴風ダクト４８を介して繰出ケース５０内等へ送風させる。この播種ブロワ３７の吸引口は、吸引筒４９を介してエンジンルーム１４内に連通して、このエンジンルーム１４から播種ホッパ７に吸引した熱気を、この吸塵筒１１から吸引しながら播種ホッパ７の粉塵を繰出ケース５０内へ送風排出できる構成としている。又、播種ホッパ７には吸塵筒１１を連通させて、この播種ホッパ７内の吸塵作用を行わせるように構成している。この吸塵筒１１は前記エンジンルーム１４のラジエータファン１３の吸気口部にのぞませているが、このラジエータファン１３に代える別の吸引ファンを設けて連通することもできる。
【００２３】
前記施肥装置９は、繰出ロール４を有する繰出ケース５２の上部に施肥ホッパ６を配置して、この施肥ホッパ６内の肥料を繰出しながら施肥ホースを介して前記フロート４０の作溝器３９で形成される作溝部へ搬送する。この施肥装置９には、施肥ブロワ３６を設けて、施肥ホッパ６内の吸気作用を行い、この吸気を噴風ダクト５３を介して施肥ホース５４へ噴風して、前記作溝器３９で形成される作溝部へ噴送させて施肥する。前記エンジンルーム１４内と施肥ホッパ６内との間には吸引筒５５を連結して、エンジンルーム１４の熱気を施用ホッパ６へ吸引しながら、この施用ホッパ６内の吸塵筒１０から施肥ブロワ３６へ吸引して噴風ダクト５３、繰出ケース５２、及び施肥ホース５４等へ噴風する。
【００２４】
ここにおいて、前記エンジンカバー１内にエンジン２を搭載して駆動走行の車体３の後部に、繰出ロール４、５の回転によって施肥、播種ホッパ６、７内に収容の粉粒剤を繰出しながら土壌面に施用する播種装置８を昇降自在に連結すると共に、施肥装置９を装着して、走行土壌面に施肥播種する播種機において、前記施肥ホッパ６、及び播種ホッパ７内に、ホッパ６、７内部の粉塵を吸引する吸塵筒１０、１１を設けたことを特徴とする播種機の粉粒剤施用装置の構成とする。
【００２５】
播種機による播種作業を行うときは、施肥ホッパ６に施肥用肥料を収容し、播種ホッパ７に種子を収容しておく。車体３の前進走行により播種装置８を下降させて土壌面に接近させて推進させながら、播種装置８の繰出ロール５の回転によって繰出される種子を土壌面に形成の作溝に播種する。又、施肥装置の繰出ロール４の回転によって繰出される肥料が前記播種位置近くの土壌面に施肥される。これら施肥装置９や播種装置８においては、施肥ホッパ６や播種ホッパ７には吸塵筒１０や１１が連通されていて、この吸塵筒１０、１１を経て施肥ホッパ６内の粉塵や、播種ホッパ７内の発生した粉塵が吸引排除される。このため各施肥装置９の繰出ロール４や、播種装置８の繰出ロール５によって繰出される肥料や種子は、粉塵の混入を少くして、しかも吸塵筒１０、１１による吸引風の流れによって吸湿排除されて乾燥状態に維持されて、繰出施用される肥料、又は種子相互間の付着結合性少くして、さらされとした分散性を維持した状態で、正確で円滑な施肥、及び播種を行わせる。
【００２６】
また、前記施肥ホッパ６、及び播種ホッパ７には、エンジンカバー１内のエンジンルームの熱気を吸引しながら前記施肥、播種ホッパ６、７内を経て吸塵筒１０、１１へ吸引させる。
【００２７】
前記のように施肥ホッパ６、及び播種ホッパ７には、吸塵筒１０、１１による吸引風が働き発生する粉塵が吸引排除されるが、これら施肥ホッパ６、及び播種ホッパ７に連通のエンジンルームから吸引供給される熱気によって加熱されながら吸塵される。このため、繰出ロール４、５による施肥ホッパ６、及び播種ホッパ７内の肥料や種子の相互粒剤間の付着給合を防止し、繰出ロール４、５による繰出を円滑に行わせる。
【００２８】
更に、前記エンジン２のラジエータ１２を通した熱風を施肥ホッパ６、又は播種ホッパ７へ吸引案内する。
【００２９】
前記エンジンルームから案内する熱気は、ラジエータ１２を通して吸引される熱風として、更に施肥ホッパ６や、播種ホッパ７へ吸引供給される。このラジエータ１２を経た熱気は、ラジエータ１２内の熱を吸収して乾燥されたものであるから、各施肥ホッパ６や播種ホッパ７内での粉粒剤乾燥度を適度に維持して効果的に加熱乾燥して、正確で円滑な繰出施用を行わせることができる。
【００３０】
前記施肥装置９の施肥ホッパ６内へ吸引する吸引筒５５は、エンジンルーム１４の熱器を吸引案内するように構成（図２）するが、このエンジン２ルーム１４の後側部に配置のラジエータ１２ファン１３によって吹出される熱気を吸引して施肥ホッパ６内へ案内することもできる。又、このような構成は、播種装置８の播種ホッパ７における吸引筒４９も同様に、エンジンルーム１４、及びラジエータ１２を通して排出される熱気を吸引する形態とすることができる（図３）。
【００３１】
前記施肥ホッパ６、及び播種ホッパ７は、上端開口面に開閉可能の開閉カバー５６を設けて、この開閉カバー５６を開いて肥料、又は種子を供給することができ、施肥、播種作業時は閉鎖しておくことによって、エンジンルーム１４から各ホッパ６、７内部を経て吸塵筒１０、１１への吸塵効果を高めることができる。前記施肥ホッパ６、又は播種ホッパ７の中央部に左右ホッパ幅方向に沿って目抜筒状の網筒５７を設け、この網筒５７にエンジンルーム１４との間を連通する吸引筒５５、４９等を連結し、前記施肥ブロワ３６や播種ブロワ３７との間を連通する吸塵筒１０、１１をホッパ６、７の外周壁吸気口５８部から連通させて、熱気を網筒５７の周部からホッパ６、７へ通してブロワ３６、３７へ吸引排出させる形態（図２）とすることができる。又、前記網筒５７は左右横端部をブロワ３６、３７の吸塵筒１０、１１に直接連通させて、前記エンジンルーム１４と連通の吸引筒５５、４９をホッパ６、７の外周壁吸気口５８部に連通させる形態（図４）とすることもできる。
【００３２】
また、前記のように吸引筒５５、４９や、吸塵筒１０、１１等をホッパ６、７の外周壁部の吸気口に連通させる形態では、これらホッパ６、７の外周部に吸気ダクト５９、６０を形成して、この吸気ダクト５９、６０のホッパ６、７内側の仕切壁部の吸気口６１、６２部に網を張設し、吸気ダクトの外側壁部に前記吸引筒５５、５９や、吸塵筒１０、１１等を直接連通させる形態とすることも可能である。
【符号の説明】
【００３３】
１  エンジンカバー
２  エンジン
３  車体
４  繰出ロール
５  繰出ロール
６  施肥ホッパ
７  播種ホッパ
８  播種装置
９  施肥装置
１０  吸塵筒
１１  吸塵筒
１２  ラジエータ
１３  ラジエータファン
１４  エンジンルーム
【図１】
2013226086.tif 000003
【図２】
2013226086.tif 000004
【図３】
2013226086.tif 000005
【図４】
2013226086.tif 000006
【図５】
2013226086.tif 000007